(57)【要約】【課題】  設定金額を定め、定期的に、設定額との差額分の金額を自動的にチャージできるＩＣカードチャージシステムを提供する。【解決手段】  電子マネー機能付きＩＣカード１０または携帯端末２０の管理を行うサーバ４０の定期的差額自動チャージ手段４１０は、自動チャージ時期４２３とチャージ設定額４２５を予め各ＩＣカード１０または携帯端末２０について設定しておき、設定された自動チャージ時期４２３に、その時点でのＩＣカード１０または携帯端末２０の残額４２７と、チャージ設定額４２５の差額分を残額４２７に加えるチャージ処理を行う。【選択図】  図１
2009237831.tif 000002
【特許請求の範囲】
【請求項１】
電子マネー機能付きＩＣカードと、ＩＣカード・リード/ライト機能を有するレジ端末、前記レジ端末と通信網を介して接続されたサーバからなり、
前記サーバは、前記電子マネー機能付きＩＣカードの残額と、予め定めた設定金額との差額分の金額を、予め定めた期間ごとにチャージする定期的差額自動チャージ手段を有することを特徴とするＩＣカードチャージシステム。
【請求項２】
前記定期的差額自動チャージ手段により定期的にチャージされた後、最初に前記電子マネー機能付きＩＣカードを前記レジ端末で使用する際に、前記レジ端末は、前記通信網を介して、前記サーバから前記ＩＣカードのチャージ後の残額を受け取り、ＩＣカード・リード/ライト機能により前記ＩＣカードに書きこむことを特徴とする請求項１記載のＩＣカードチャージシステム。
【請求項３】
前記電子マネー機能付きＩＣカードは、電子マネー機能付きの携帯端末であることを特徴とする請求項１または請求項２に記載のＩＣカードチャージシステム。
【請求項４】
電子マネー機能付きＩＣカードの残額と、予め定めた設定金額との差額分の金額を、予め定めた期間ごとにチャージする定期的差額自動チャージ手段を有することを特徴とするサーバ。
【請求項５】
コンピュータを、請求項４記載のサーバとして機能させることを特徴とするプログラム。
【発明の詳細な説明】
【技術分野】
【０００１】
本発明は、電子マネー機能付きＩＣカードのチャージシステムに関する。
【背景技術】
【０００２】
近年、非接触型のＩＣカードを使用した電子マネーが、鉄道等の改札機、スーパーマーケット、コンビニエンスストア等で使用されるようになってきている。多くの電子マネーＩＣカードはプリペイド式であり、チャージ機によりユーザが所定の金額をチャージする方法や、残額が一定額を下回ると所定の金額が自動的にチャージされる方法等が採られており、さらに、使用実績によりチャージ額を変化させる方法が提案されている（特許文献１）。
【特許文献１】特開２００４−３６２３０７号公報
【発明の開示】
【発明が解決しようとする課題】
【０００３】
しかしながら、上記の方法では、残額が一定額を下回るごとに何回でも際限なくチャージされてしまうという問題があった。
【０００４】
本発明は、このような課題に鑑みてなされたもので、その目的とするところは、設定金額を定め、定期的に、設定額との差額分の金額を自動的にチャージできるＩＣカードチャージシステムを提供することである。
【課題を解決するための手段】
【０００５】
前述した課題を解決するための第１の発明は、電子マネー機能付きＩＣカードと、ＩＣカード・リード/ライト機能を有するレジ端末、前記レジ端末と通信網を介して接続されたサーバからなり、前記サーバは、前記電子マネー機能付きＩＣカードの残額と、予め定めた設定金額との差額分の金額を、予め定めた期間ごとにチャージする定期的差額自動チャージ手段を有することを特徴とするＩＣカードチャージシステムである。
また、前記定期的差額自動チャージ手段により定期的にチャージされた後、最初に前記電子マネー機能付きＩＣカードを前記レジ端末で使用する際に、前記レジ端末は、前記通信網を介して、前記サーバから前記ＩＣカードのチャージ後の残額を受け取り、ＩＣカード・リード/ライト機能により前記ＩＣカードに書きこむ。
前記電子マネー機能付きＩＣカードは、電子マネー機能付きの携帯端末であってもよい。
【０００６】
上記の構成により、ＩＣカードの残額と、設定金額との差額分を、予め定めた期間ごとに定期的にチャージすることが可能になる。
【０００７】
第２の発明は、電子マネー機能付きＩＣカードの残額と、予め定めた設定金額との差額分の金額を、予め定めた期間ごとにチャージする定期的差額自動チャージ手段を有することを特徴とするサーバである。
第３の発明は、コンピュータを、請求項４記載のサーバとして機能させることを特徴とするプログラムである。
【発明の効果】
【０００８】
本発明によれば、定期的にＩＣカード残額と設定金額の差額分だけをチャージすることが可能になり、使いすぎを防ぎ、出費の管理を行うことが可能になる。
【発明を実施するための最良の形態】
【０００９】
以下、図面に基づいて本発明の好適な実施形態について詳細に説明する。
図１は、本実施の形態の自動チャージシステム１のシステム構成を示す図である。
【００１０】
図１に示すように、自動チャージシステム１は、電子マネー機能付きのＩＣカード１０や電子マネー機能付きの携帯端末２０、チャージ端末あるいはレジ端末３０、チャージ端末あるいはレジ端末３０と通信網６０を介して接続されたサーバ４０、サーバ４０と通信網６０を介して接続されたクレジット会社・金融機関のサーバ５０等で構成される。
【００１１】
電子マネー機能付きの携帯端末２０は、例えば、電子マネー機能付きのＩＣカードが内蔵された携帯電話等である。
チャージ端末あるいはレジ端末３０は、電子マネー機能付きのＩＣカード１０や携帯端末２０のデータを読んだり、データを書きこむリーダ/ライタ３０５を有する。
【００１２】
通常、買い物を行なう場合には、レジ端末３０のリーダ/ライタ３０５にＩＣカード１０や携帯端末２０をかざすことにより、リーダ/ライタ３０５がＩＣカード１０や携帯端末２０のカード識別コードや残額情報を読み込む。
レジ端末３０は、通信網６０を介してサーバ４０にアクセスし、上記カード識別コードのＩＣカード１０または携帯端末２０の残額で買い物が可能か否かを問い合わせる。サーバ４０は、上記カード識別コードのＩＣカード１０や携帯端末２０の残額データの情報を記憶しており、残額が買い物金額を上回っていれば買い物が可能である旨をレジ端末３０に通知し、買い物が可能になる。このとき、レジ端末３０のリーダ/ライタ３０５は、買い物後の残額をＩＣカード１０または携帯端末２０に書きこむ。
【００１３】
通常、チャージ端末３０でチャージを行なう場合には、ＩＣカード１０または携帯端末２０のユーザがチャージ端末３０のリーダ/ライタ３０５にＩＣカード１０または携帯端末２０をかざし、リーダ/ライタ３０５は、ＩＣカード１０または携帯端末２０のカード識別コードを読み込む。
チャージ端末３０は、通信網６０を介してサーバ４０にアクセスし、サーバ４０は、サーバ４０に記録されているＩＣカード１０または携帯端末２０の残額をチャージ端末３０に送る。チャージ端末３０は、サーバ４０から送られてきた残額を表示する。
ユーザが、チャージ金額をチャージ端末３０に挿入すると、チャージ端末３０は、ＩＣカード１０または携帯端末２０にリーダ/ライタ３０５により新たな残額を書きこむとともに、通信網６０を介して、チャージ金額をサーバ４０に送る。
サーバ４０は、チャージ金額を以前の残額に加算し、新たな残額として記憶する。
【００１４】
図２は、電子マネー機能付きのＩＣカード１０の説明図である。電子マネー機能付きの携帯端末２０の場合、携帯端末２０内にＩＣカード１０が内臓されている。
図２（ａ）は、ＩＣカード１０の内部構成例を示す図である。
ＩＣカード１０内には、レジ端末またはチャージ端末３０のリーダ/ライタ３０５と通信を行うための電磁誘導用のアンテナ１３と、制御用ＩＣチップ１１が内蔵されている。
【００１５】
図２（ｂ）は、ＩＣカード１０内の制御用ＩＣチップ１１の構成図である。
同図に示すように、制御用ＩＣチップ１１は、例えば、ＣＰＵ（Ｃｅｎｔｒａｌ  Ｐｒｏｃｅｓｓｉｎｇ  Ｕｎｉｔ）１１１、ＲＯＭ（Ｒｅａｄ  Ｏｎｌｙ  Ｍｅｍｏｒｙ）１１２、ＲＡＭ（Ｒａｎｄｏｍ  Ａｃｃｅｓｓ  Ｍｅｍｏｒｙ）１１３、送受信インタフェース１１５、情報記憶部１１７等がバス１１９で接続された構成である。
【００１６】
ＣＰＵ１１１は、ＲＯＭ１１２に格納されているプログラムをＲＡＭ１１３上のワークメモリ領域に呼び出して実行し、バス１１９を介して接続された各部分を駆動制御する。情報記憶部１１７は、例えばＲＡＭ等で構成され、ＩＣカード１０のカード識別コードや残額等の情報を格納する。送受信インタフェース１１５は、ＣＰＵ１１１によるプログラムの実行により制御され、情報記憶部１１７に格納されている情報をＩＣカード１０のアンテナ１３を介して送信したり、アンテナ１３を介して外部から受信した情報を受け取る。
【００１７】
図２（ｃ）は、情報記憶部１１７のデータ構成例を示す図である。
情報記憶部１１７には、例えば、カード識別コード４２１（例えば「ＡＡＡ」）と、残額４２３（例えば「３０００円」）が格納される。
【００１８】
図３は、レジ端末またはチャージ端末３０のハードウエア構成例を示す図である。
図３に示すように、レジ端末またはチャージ端末３０は、例えば、制御部３０１、記憶部３０２、メディア入出力部３０３、通信制御部３０４、入出力インタフェース３０６、表示部３０７、入力部３０８、印刷部３０９等がバス３１０を介して接続されて構成される。入出力インタフェース３０６には、ＩＣカード・リーダ/ライタ３０５が接続されている。
【００１９】
制御部３０１は、ＣＰＵ、ＲＯＭ、ＲＡＭ等で構成される。
ＣＰＵは、記憶部３０２、ＲＯＭ、記録媒体等に格納されるプログラムをＲＡＭ上のワークメモリ領域に呼び出して実行し、バス３１０を介して接続された各装置を駆動制御し、買い物の清算処理や、ＩＣカード１０または携帯端末２０へのチャージ処理を実行する。
ＲＯＭは、コンピュータのブートプログラムやＢＩＯＳ等のプログラム、データ等を恒久的に保持し、ＲＡＭは、ロードしたプログラムやデータを一時的に保持するとともに、制御部３０１が各種処理を行なうために使用するワークエリアを備える。
【００２０】
記憶部３０２は、ＨＤＤ（ハードディスクドライブ）であり、制御部３０１が実行するプログラムや、プログラム実行に必要なデータ、ＯＳ（オペレーティング・システム）等が格納されている。これらのプログラムコードは、制御部３０１により必要に応じて読み出されてＲＡＭに移され、ＣＰＵに読み出されて実行される。
【００２１】
メディア入出力部３０３（ドライブ装置）は、例えば、フロッピー（登録商標）ディスクドライブ、ＰＤドライブ、ＣＤドライブ、ＤＶＤドライブ、ＭＯドライブ等のメディア入出力装置であり、データの入出力を行なう。
【００２２】
通信制御部３０４は、通信制御装置、通信ポート等を有し、通信網６０との通信を媒介する通信インタフェースであり、通信制御を実行する。
入出力インタフェース３０６は、ＩＣカード・リーダ/ライタ３０５に接続され、ＩＣカード・リーダ/ライタ３０５によるデータの読み込み/書込みを制御する。
【００２３】
表示部３０７は、液晶パネル、ＣＲＴモニタ等のディスプレイ装置と、ディスプレイ装置と連携して表示処理を実行するための論理回路（ビデオアダプタ等）で構成される。
入力部３０８は、例えば、キーボード、マウス等のポインティング・デバイス、テンキー等の入力装置であり、データの入力を行う。
印刷部３０９は、プリンタであり、例えば、レシート等の印刷処理を行う。
【００２４】
図４は、サーバ４０およびクレジット会社・金融機関のサーバ５０のハードウエア構成図である。
サーバ４０は、電子マネー機能付きのＩＣカード１０または携帯端末２０の管理センター等に設置されており、各ＩＣカード１０または携帯端末２０の使用状況や残額等の管理を行う。
【００２５】
サーバ４０およびクレジット会社・金融機関のサーバ５０は、例えば、制御部４０１、記憶部４０２、メディア入出力部４０３、通信制御部４０４、入力部４０５、印刷部４０６、表示部４０７等がバス４０８を介して接続されて構成される。
【００２６】
ＣＰＵは、記憶部４０２、ＲＯＭ、記録媒体等に格納されるプログラムをＲＡＭ上のワークメモリ領域に呼び出して実行し、バス４０８を介して接続された各装置を駆動制御する。
ＲＯＭは、コンピュータのブートプログラムやＢＩＯＳ等のプログラム、データ等を恒久的に保持し、ＲＡＭは、ロードしたプログラムやデータを一時的に保持するとともに、制御部４０１が各種処理を行なうために使用するワークエリアを備える。
【００２７】
記憶部４０２は、ＨＤＤ（ハードディスクドライブ）であり、制御部４０１が実行するプログラムや、プログラム実行に必要なデータ、ＯＳ（オペレーティング・システム）等が格納されている。これらのプログラムコードは、制御部２０１により必要に応じて読み出されてＲＡＭに移され、ＣＰＵに読み出されて各種の手段として実行される。
【００２８】
メディア入出力部４０３（ドライブ装置）は、例えば、フロッピー（登録商標）ディスクドライブ、ＰＤドライブ、ＣＤドライブ、ＤＶＤドライブ、ＭＯドライブ等のメディア入出力装置であり、データの入出力を行なう。
【００２９】
通信制御部４０４は、通信制御装置、通信ポート等を有し、通信網６０との通信を媒介する通信インタフェースであり、通信制御を実行する。
入力部４０５は、例えば、キーボード、マウス等のポインティング・デバイス、テンキー等の入力装置であり、データの入力を行う。
印刷部４０６は、プリンタであり、例えば、レシート等の印刷処理を行う。
表示部４０７は、液晶パネル、ＣＲＴモニタ等のディスプレイ装置と、ディスプレイ装置と連携して表示処理を実行するための論理回路（ビデオアダプタ等）で構成される。
【００３０】
次に、本実施の形態の定期的差額自動チャージ手段４１０の動作について、図５および図６に沿って説明する。
図５は、定期的差額自動チャージ手段４１０の処理の流れを示すフローチャート、図６は、サーバ４０の記憶部４０２に格納されるカード情報格納データベース４２０のデータ構成例を示す図である。
【００３１】
ユーザは、電子マネー機能付きのＩＣカード１０および携帯端末２０の使用に先立ち、チャージ時期４２３とチャージ設定額４２５をチャージ端末またはレジ端末３０から登録しておく。
チャージ端末またはレジ端末３０は、登録されたチャージ時期４２３とチャージ設定額４２５を通信網６０を介してサーバ４０に送り、サーバ４０は、記憶部４０２に格納する。
【００３２】
図６に示すように、サーバ４０の記憶部４０２には、チャージ時期４２３、チャージ設定額４２５がＩＣカード１０および携帯端末２０のカード識別コード４２１とともに格納される。
さらに、カード情報格納データベース４２０には、図６に示すように、各ＩＣカード１０および携帯端末２０の残額４２７等も格納される。
【００３３】
例えば、カード識別コード４２１が「ＡＡＡ」のＩＣカード１０の場合、自動チャージのチャージ時期４２３は毎月１日であり、チャージ設定額４２５は３万円である。また、その時点での残額４２７は３０００円である。
同様に、カード識別コード４２１が「ＢＢＢ」の場合は、チャージ時期４２３が月末、「ＣＣＣ」の場合は毎月２６日というように、ユーザの要求に従って設定されたチャージ時期４２３がサーバ４０のカード情報格納データベース４２０に格納される。
また、チャージ設定額４２５も、ユーザの要求に従って、例えば、３万円、５万円、２万円などのように設定され、サーバ４０のカード情報格納データベース４２０に格納される。
【００３４】
サーバ４０の制御部４０１は、まず、カード情報格納データベース４２０のチャージ時期４２３を検索し、所定の時期か否かを判定する（ステップ５０１）。
所定の時期の場合（ステップ５０１のＹｅｓ）、所定の時期に当たるＩＣカード１０または携帯端末２０のカード識別コード４２１のチャージ設定額４２５および残額４２７を読み出す（ステップ５０２）。
【００３５】
次に、残額４２７とチャージ設定額４２５を比較し、残額４２７がチャージ設定額４２５より少ない場合（ステップ５０３のＹｅｓ）には、チャージ設定額４２５と残額４２７の差額分をチャージする（ステップ５０４）。すなわち、クレジットカード会社または金融機関のサーバ５０にアクセスし、ＩＣカード１０または携帯端末２０の電子マネー機能用に登録されている口座から差額分を引き落とす。
そして、残額４２７の金額をチャージ設定額４２５の金額とする（ステップ５０５）。
【００３６】
一方、残額４２７がチャージ設定額４２５よりも高いか同じ場合には（ステップ５０３のＮｏ）、チャージ処理を行わずに処理を終了する。
【００３７】
以上の処理により、サーバ４０は、各ＩＣカード１０または携帯端末２０ごとに設定されたチャージ時期４２３に、最高でチャージ設定額４２５の金額を自動的にチャージし、カード情報格納データベース４２０の情報を更新する。
【００３８】
例えば、カード識別コード４２１が「ＡＡＡ」のＩＣカード１０の場合、図６に示すように、残額４２７は３０００円、チャージ設定額４２５は３万円であり、その差額２万７０００円がチャージ時期４２３である１日にチャージされる。
また、例えば、カード識別コード４２１が「ＣＣＣ」のＩＣカード１０の場合、図６に示すように、残額４２７が２万円、チャージ設定額４２５が２万円であり、前月の２６日以降、ＩＣカード１０による支払いがなかったことになり、チャージ設定額４２５と残額４２７の差額はなく、チャージ処理は行われない。
【００３９】
ここで、チャージ時期４２３には、ＩＣカード１０または携帯端末２０の情報記憶部１１７に格納されている残額４２３は書き換えられないが、次にＩＣカード１０または携帯端末２０を使用するためにレジ端末またはチャージ端末３０のリーダ/ライタ３０５にかざした際に、レジ端末またはチャージ端末３０がサーバ４０とデータを送受信し、最新の残額４２３のデータがリーダ/ライタ３０５によってＩＣカード１０または携帯端末２０の情報記憶部１１７に書き込まれることになる。
【００４０】
以上のように、本実施の形態の自動チャージシステム１により、例えば、一月の電子マネー機能付きＩＣカード１０の使用額を設定し、管理することが可能になる。設定額を超えてＩＣカード１０を使用したい場合には、チャージ端末３０により、現金を入金してチャージすることも可能である。
例えば、電子マネー機能付きＩＣカード１０で食品を購入する場合、一月の食費を設定し、管理することも可能になる。
【００４１】
尚、本発明は、前述した実施の形態に限定されるものではなく、種々の改変が可能であり、それらも、本発明の技術範囲に含まれる。
【図面の簡単な説明】
【００４２】
【図１】本実施の形態の自動チャージシステム１の構成を示す図
【図２】ＩＣカード１０の構成を示す図
【図３】チャージ端末（レジ端末）３０のハードウエア構成図
【図４】サーバ４０、５０のハードウエア構成図
【図５】定期的差額自動チャージ手段の処理の流れを示すフローチャート
【図６】カード情報格納データベース４２０の構成を示す図
【符号の説明】
【００４３】
１………自動チャージシステム
１０………ＩＣカード
２０………携帯端末
３０………チャージ端末（レジ端末）
３０５………ＩＣカード・リーダ/ライタ３０５
４０………サーバ
４０１………定期的差額自動チャージ手段
５０………クレジット会社・金融機関のサーバ
６０………通信ネットワーク
【図１】
2009237831.tif 000003
【図２】
2009237831.tif 000004
【図３】
2009237831.tif 000005
【図４】
2009237831.tif 000006
【図５】
2009237831.tif 000007
【図６】
2009237831.tif 000008